(57)【特許請求の範囲】
【請求項１】
テレビ等の電気機器を遠隔操作するタイマー内蔵型のリモコンに、省エネ運転状態に切り替える省エネモードと、電気機器近傍における人の有無を感知する人感知センサーとを設け、該省エネモードの切替えを、前記人感知センサーの信号とタイマーによる計測時間に応じて行う省エネモード付きリモコンにおいて、少なくとも２回の人の有無を感知するステップを有し、初回の人感知結果では省エネ運転状態への切替え動作を行うステップと、次回の人感知結果では電気機器の電源のオン・オフを動作をするステップを有することを特徴とする省エネモード付きリモコン。
【発明の詳細な説明】
【０００１】
【発明の属する技術分野】
本発明は、電気機器、例えばテレビ、エアコン等を制御するリモコンに関し、特に省エネ運転状態に切り替える省エネモードを設けた省エネモード付きリモコンに関するものである。
【０００２】
【従来の技術】
従来、テレビ、エアコン等の電気機器には、遠隔操作を行うためのリモコンが付設されている。例えば、テレビにおいては、図６に示すように、電源スイッチ２５や画面表示スイッチ２６等を備えたリモコンキーボード２７を操作することで、マイコン２８及びリモコン発信部２９から発信される赤外線信号でもってテレビ３０の電源のオン・オフや画面切替えを行うようにされている。また、エアコンにおいては、図７に示すように、温度設定スイッチ３２、３３や運転状況表示スイッチ３４を備えたリモコンキーボード３５を操作することで、マイコン３６及びリモコン発信部３７から発信される赤外線信号でもってエアコン３８の電源のオン・オフや設定温度の切替えを行うようにされている。
【０００３】
【発明が解決しようとする課題】
しかし、テレビを見ている途中、使用者が小用等でテレビから一時的に離れる場合がある。この場合、使用者が人為的にテレビの電源を遮断しない限りテレビ画面をオフにすることはできない。このため、テレビから使用者が離れている間は電力が無駄に消費されるという問題があった。
【０００４】
同様にエアコンにおいても、使用者がエアコンの設置された部屋から外に出た場合、人為的に電源スイッチを押さない限り、エアコンの運転を停止させることができない。とくにエアコンでは、人のいない部屋を設定温度のままで冷房又は暖房するので、その間に浪費される無駄な電力使用量は相当なものになる。
【０００５】
本発明者は、上記課題に鑑みなされたもので、その目的は、人がテレビやエアコン部屋などから離れた場合の無駄な電力消費を自動的に防止できる省エネモード付きリモコンを提供することにある。
【０００６】
【課題を解決するための手段】
この目的達成のため、本発明による省エネモード付きリモコンは、テレビ等の電気機器を遠隔操作するタイマー内蔵型のリモコンに、省エネ運転状態に切り替える省エネモードと、電気機器近傍における人の有無を感知する人感知センサーとを設け、該省エネモードの切替えを、前記人感知センサーの信号とタイマーによる計測時間に応じて行う省エネモード付きリモコンにおいて、少なくとも２回の人の有無を感知するステップを有し、初回の人感知結果では省エネ運転状態への切替え動作を行うステップと、次回の人感知結果では電気機器の電源のオン・オフを動作をするステップを有することを特徴とする。
【０００７】
上記省エネ運転状態とは、電力消費量を零又は大幅に節減することであり、電源をオフにすることは無論のこと、テレビにあっては高電圧発生を遮断すること、エアコンにあっては設定温度を変化させることが含まれる。本発明では、使用者がテレビを見ているとき、一時的にテレビから離れると、人感知センサーがこれを感知すると共に、タイマーによる計測時間を入力し、これらの信号に応じて、リモコンのマイコンを介して、エアコンを省エネ運転状態に自動的に切り替える。このため、使用者がテレビから離れている間に電力が無駄に消費されることを防止できる。
【０００８】
また、エアコンにおいては、使用者がエアコンの設置された部屋から居なくなると、人感知センサーがこれを感知すると共に、タイマーによる計測時間を入力し、これらの信号に応じて、リモコンのマイコンを介して、エアコンを省エネ運転状態に自動的に切り替える。とくにエアコンの場合は電源のオン・オフ制御だけでなく、冷房時又は暖房時の設定温度を上昇又は下降させる。このため、人がエアコンの設置された部屋から出ている間は、冷暖房のためのエネルギー消費量が低下するので、電力使用量が大幅に節減されることになる。
【０００９】
【発明の実施の形態】
以下、本発明の実施の形態を図面に示す実施例に基づいて説明する。
図１は本発明の一実施例に係るテレビの省エネモード付きリモコンを示す全体説明図、図２は実施例１の動作手順を説明するフローチャート、図３は実施例１のリモコンの省エネの流れをを説明するフローチャート、図４は本発明の他の実施例に係るエアコンの省エネモード付きリモコンを示す全体説明図、図５は実施例２の動作手順を説明するフローチャート、図６は従来のテレビ用リモコンを示す全体説明図、図７は従来のエアコン用リモコンを示す全体説明図である。
【００１０】
【実施例１】
本実施例は、タイマーを内蔵したテレビ用リモコンに、テレビの高電圧発生部を停止させる省エネモードを組み込み、このモード切替えを、人感知センサとタイマーで制御するようにしたものである。本実施例では、リモコンのエコモードスイッチを押すことで省エネモードに設定することができる。
【００１１】
本実施例を図１に基づいて説明すると、赤外線方式リモコン１はリモコン発信部２を先端側に備え、リモコンキーボード３には、電源スイッチ４、エコモードスイッチ５、通常モードスイッチ（図略）、画面表示スイッチ６等が設けられている。また、リモコン１には省エネモードが組み込まれ、省エネモードに設定すると、テレビ７の高圧発生部遮断開閉器８をオフに設定できるようになっている。
【００１２】
リモコン１のマイコン部９近傍には、赤外線方式の人感知センサ１０が組み込まれ、この人感知センサ１０により、テレビ７の前に人（使用者）が居るか否かを感知できるようにされている。すなわち人感知センサ１０は、人が居るときにはオン信号を出力し、人がいないときにはオフ信号を出力する。そして、人感知センサ１０からオフ信号が出力されると、マイコン部９及びエコモードスイッチ５を介して、省エネモードに切り替わるようになっている。
【００１３】
次に、上記テレビ７の省エネコマンドの流れを図２に従って説明する。先ず、リモコン１の操作モードは、コマンド待ちの状態にある（Ｓ１）。いま、使用者がテレビ７を視聴しているときに、リモコンキーボード３の電源スイッチ４、通常モードスイッチ、エコモードスイッチ５のいずれかが押されると、これに対応して電源オフコマンド、通常モードコマンド、画面消去モードコマンドに移行する（Ｓ２、Ｓ３、Ｓ４）。そして、電源オフコマンドに移行した時は、テレビ７の電源スイッチがオフに切り替わる（Ｓ５）。また、通常モードコマンドに移行した時は、テレビ７の高電圧発生部遮断開閉器８がオンになり高電圧発生部が作動する（Ｓ６）。これに対し画面消去モードコマンドに移行した時は、高電圧発生部遮断開閉器８がオフになって高電圧発生部が停止する（Ｓ７）。
【００１４】
次に、上記省エネモードの詳細な流れを、図３に従って説明する。先ず、リモコンキーボード３のエコモードスイッチ５を押すと、リモコン１が省エネモードに設定され、テレビ７の前に人が居るか否かが人感知センサ１０により感知される（Ｓ１０、Ｓ１１）。その結果人が居るときは、リモコン１内部のタイマー（図略）がオンになり、さらに人が居るか否かが人感知センサ１０により感知される（Ｓ１２、Ｓ１３）。その結果人が居れば、タイマーがオフに切り替わって（Ｓ１８）、スッテプＳ１１に戻る。一方、人が居なければ、タイマーにより１分経過が計測されると、画面消去モードコマンドがマイコン部９に送信され、さらに人が居るか否かが人感知センサ１０により感知される（Ｓ１４〜Ｓ１６）。その結果、人が居れば、通常モード復帰コマンドがマイコン部９に送信され、タイマーがオフに切り替わって（Ｓ１７、Ｓ１８）、スッテプＳ１１に戻る。一方人が居なれば、タイマーにより５分経過が計測されると、電源オフコマンドが送信され（Ｓ１９、Ｓ２０）、タイマーがオフに切り替わって（Ｓ１８）、スッテプＳ１１に戻る。
【００１５】
このように、人の有無及び時間経過に応じて、対応する各々のコマンドがマイコン部９を介してテレビ７に送信される。ここでは、テレビ７の前に人が居なくなった後、経過時間が１分以内であれば、テレビ７の映像と音声を共に出力する。そして、経過時間が１分を越えると、テレビ７の映像を消して音声のみを出力する。さらに、経過時間が５分を越えると、テレビ７の電源を遮断する。
【００１６】
そして、テレビ７の前に人が居ることを設定時間５分以内に感知した時は通常モードに戻し、テレビ７の映像と音声を共に出力する。尚、上記設定時間は自由に変更することができると共に、エコモードスイッチ５を押すことで、省エネモードに人為的に切替えることができる。
【００１７】
この実施例は、高電圧発生部の停止モードを有しない既存のテレビ７にも適用可能であり、この場合は、電源のオン・オフ動作モードを省エネモードとして機能させるものとする。つまり、電源のオン・オフ動作モードの切替えは、タイマーと人感知センサ１０の信号に基づいてコントロールされる。
【００１８】
勿論、既存のテレビ７に適用するときは、テレビ本体側に新たに機能追加を行う必要は全くなく、リモコン１側のみにモード機能を追加すれば済む。したがって、このリモコンは安価に幅広く拡大適用することができ、大きな波及的な効果が期待される。
【００１９】
【実施例２】
本実施例は、エアコン用リモコンに、設定温度を変更する省エネモードを組み込み、省エネモードの切替えを人感知センサとタイマーにより行うようにしたものである。このものでは、リモコンのエコモードスイッチを押すことで省エネモードに切替えることができる。
【００２０】
本実施例を図４に基づいて説明すると、赤外線式リモコン１１はリモコン発信部２２を先端側に備え、リモコン１１のキーボード１３には、エコモードスイッチ１４、運転スイッチ１５、冷房モードスイッチ１６、暖房モードスイッチ１７、設定温度上昇スイッチ１８、設定温度下降スイッチ１９が設けられている。また、リモコン１１には省エネモードが組み込まれ、省エネモードを設定すると、冷房時又は暖房時に応じて、設定温度が２℃上昇又は下降するようになっている。
【００２１】
さらにリモコン１１のマイコン部２１近傍には、赤外線方式の人感知センサ２０が組み込まれ、この人感知センサ２０により、エアコン２３を設置した部屋に人が居るか否かを感知できるようにされている。すなわち人感知センサ２０は、部屋の中に人が居るときにはオン信号を出力し、人が居ないときにはオフ信号を出力する。そして、人感知センサ２０からオフ信号が出力されると、エコモードスイッチ１４を介して、省エネモードに切り替わるようになっている。
【００２２】
次に、エアコン省エネモードシステムの詳細な流れを、図５に従って説明する。
先ず、リモコンキーボード１３のエコモードスイッチ１４を押すと、リモコン１１を介してエアコン２３が省エネモードに設定され、室内に人が居るか否かが人感知センサ２０により感知される（Ｔ１０、Ｔ１１）。その結果、人が居ないときは、リモコン１１内部のタイマーがオンになり、さらに人が居るか否かが人感知センサ２０により感知される（Ｔ１２、Ｔ１３）。
【００２３】
そして、人が居れば、タイマーをオフにして（Ｔ２０）、ステップＴ１１に戻る。一方人が居なければ、タイマーにより１分経過が計測されると、省エネモードコマンドがマイコン部２１に送信される。具体的には、冷房時には設定温度を２℃上昇させ、暖房時には設定温度を２℃下降させる内容のコマンドが送信される（Ｔ１５）。この後、さらに人が居るか否かが人感知センサ２０により感知される（Ｔ１６）。その結果人が居れば、通常モード復帰コマンドが送信され、タイマーがオフに切り替わって（Ｔ１９、Ｔ２０）、スッテプＴ１１に戻る。一方人が居なれば、タイマーにより６０分経過が計測されると、電源オフコマンドが送信され（Ｔ１７、Ｔ１８）、タイマーをオフにして（Ｔ２０）、ステップＴ１１に戻る。
【００２４】
この構成では、リモコン１１のエコモードスイッチ１４を押すことで、リモコン１１を省エネモードに設定できる。そして、部屋に人が居ないときは、経過時間に応じた各種のコマンドによりエアコン２３を運転制御する。例えば、１０分以内であれば、エアコン２３を設定温度で運転し、１０分を越えるとエアコン２３の設定温度を変更する。すなわち、冷房時には設定温度を２℃上昇させ、暖房時には設定温度を２℃下降させる。さらに、室内に人が居なくて６０分経過すると、エアコン２３の運転を停止させる。
【００２５】
店舗等で複数のエアコン２３を使用している場所では、エアコン２３の近くに人感知センサ２０を設置して、複数のエアコン２３を電源コードで接続すれば、人の居ない場所を過度に冷房又は暖房することを防止できる。この省エネシステムでは、エアコン２３側には新たな機能を追加する必要がない。つまり、リモコン２３内にコマンドのみを１つ追加すればよく、これにより、電力消費量を大幅に削減でき、大きな省エネ効果が得られる。
【００２６】
このように、人の有無を感知するセンサ信号により、省エネモードの切替え制御を行うようにしたので、室内に人が居ない時の電力消費を確実に防止できる。しかも、この場合に電気機器の本体側には新たな機能を追加する必要がないので、既存の電気機器に低コストで容易に適用することができる。
【００２７】
尚、本発明は上記各実施例に限定されず、本発明の趣旨を逸脱しない範囲で種々の応用変形が可能である。例えば、リモコン付きの家電製品であれば、テレビ、エアコンに限らず幅広く適用できる。また、人感知センサ及びリモコンの指向性の有無は問わない。
【００２８】
【発明の効果】
以上の如く本発明によれば、電気機器のリモコンに、電源オフ等の省エネ運転状態に切り替える省エネモードを設け、このモード切替えを、人の有無を感知するセンサー信号と時間経過に応じてコントロールすることにより、人が電気機器から離れて居なくなると、省エネモードに自動的に切り替わるので、人が居ない間の無駄な電力消費を確実に防止することができるという優れた効果がある。
【図面の簡単な説明】
【図１】本発明の一実施例に係るテレビの省エネモード付きリモコンを示す全体説明図である。
【図２】実施例１の動作手順を説明するフローチャートである。
【図３】実施例１のリモコンの省エネシステムの流れをを説明するフローチャートである。
【図４】本発明の他の実施例に係るエアコンの省エネモード付きリモコンを示す全体説明図である。
【図５】実施例２のリモコンの省エネシステムの流れをを説明するフローチャートである。
【図６】従来のテレビ用リモコンを示す全体説明図である。
【図７】従来のエアコン用リモコンを示す全体説明図である。
【符号の説明】
１    リモコン
２    リモコン発信部
３    リモコンキーボード
４    電源スイッチ
５    エコモードスイッチ
６    画面表示スイッチ
７    テレビ
８    高電圧発生部遮断開閉器
９    マイコン部
１０  人感知センサ
１１  リモコン
１２  リモコン発信部
１３  リモコンキーボード
１４  エコモードスイッチ
１５  運転スイッチ
１６  冷房モードスイッチ
１７  暖房モードスイッチ
１８  設定温度上昇スイッチ
１９  設定温度下降スイッチ
２０  人感知感センサ
２１  マイコン部
２５  電源スイッチ
２６  画面表示スイッチ
２７  リモコンキーボード
２８  マイコン
２９  リモコン発信部
３０  テレビ
３２  温度設定スイッチ
３３  温度設定スイッチ
３４  運転状況表示スイッチ
３５  リモコンキーボード
３７  リモコン発信部
３８  エアコン
【図１】
0003975295.tif 000002
【図２】
0003975295.tif 000003
【図３】
0003975295.tif 000004
【図４】
0003975295.tif 000005
【図５】
0003975295.tif 000006
【図６】
0003975295.tif 000007
【図７】
0003975295.tif 000008